(57)【特許請求の範囲】
【請求項１】
底板に複数の透孔が穿孔された内容器と、この内容器を収容するとともに外周面にブラケットが突設された外容器と、この外容器の外周面における上記ブラケットの突設方向と反対方向に向けて突設された固定把手と、上記内容器内に挿脱自在に嵌挿される押圧板と、この押圧板が取り付けられるとともに一方の端部が上記外容器のブラケットに連結軸回りに回動可能に連結された作動把手とを備えてなり、上記内容器内に被搾物を装填した状態で上記押圧板により被搾物を押圧することによって被搾物から液を搾り出すように構成されたハンドジューサーであって、上記底板には凹凸が形成されている一方、上記押圧板には、底板の凹凸に対応し、かつ、凹部に嵌り込むように凸部が設けられた凹凸が形成され、上記外容器の上縁部には外方に向かって膨出した注ぎ口が設けられ、上記内容器には外容器に収容された状態で上記注ぎ口を閉止する口蓋が設けられていることを特徴とするハンドジューサー。
【請求項２】
上記底板および押圧板の凹凸は、断面視で鋸刃状に形成されていることを特徴とする請求項１記載のハンドジューサー。
【発明の詳細な説明】
【０００１】
【発明の属する技術分野】
本発明は、果実類や野菜類等の被搾物から野菜汁や果汁等のジュースを搾り出すために用いられるハンドジューサーに関するものである。
【０００２】
【従来の技術】
従来、実用新案登録第３０６６２１７号公報に記載された、図５に示すようなハンドジューサー１００が知られている。このハンドジューサー１００は、筒状で有底の容器本体１０１と、この容器本体１０１に着脱自在に嵌挿される中容器１０２と、中容器１０２内に装填された果物等の被搾物Ｆを押圧する押圧板１０３と、この押圧板１０３による押圧操作を援助する押圧構造１０４とからなる構成を有している。
【０００３】
上記中容器１０２は、上下寸法が容器本体１０１のそれより小さく寸法設定されているとともに、外周面が摺接状態で容器本体１０１に挿脱し得るように径寸法が設定されている。かかる中容器１０２の上縁部には、径方向に外方に向けて突出した環状突起１０２ａを有しており、中容器１０２を容器本体１０１に嵌挿した状態で、この環状突起１０２ａが容器本体１０１の上縁部に当止することによって中容器１０２の底板１０２ｂと容器本体１０１の底部との間に隙間が形成されるようになっている。底板１０２ｂには、多数の透孔１０２ｅが穿設されている。
【０００４】
また、容器本体１０１の外周面には、外方に向けて径方向に突出した固定把手１０２ｃが設けられているとともに、反対側の外周面に上記押圧構造１０４を支持するブラケット１０２ｄが突設されている。
【０００５】
一方、上記押圧構造１０４は、環状突起１０２ａに軸回りに回動自在に結合された作動把手１０４ａと、この作動把手１０４ａと押圧板１０３との間に介設された連結杆１０４ｂとからなっている。従って、中容器１０２内に被搾物Ｆを装填した状態で固定把手１０２ｃと作動把手１０４ａとを把持して強く握り締めることにより、作動把手１０４ａが軸回りに時計方向に回動し、これによる連結杆１０４ｂを介した押圧板１０３の下降によって被搾物Ｆが圧縮されて破壊し、内部のジュースが搾り出されて透孔１０２ｅを透過し、容器本体１０１内に貯留されることになる。
【０００６】
そして、底板１０２ｂは、上に凸の湾曲面が形成されるように中央部が上方に向かって膨出されている一方、上記押圧板１０３は、上記凸の湾曲面に対応するように凹設された凹の湾曲面を有している。こうすることによって、被搾物Ｆに対する圧搾効率が向上すると述べられている。
【０００７】
【発明が解決しようとする課題】
ところで、上記のような従来のハンドジューサー１００にあっては、たとえ中容器１０２の底板１０２ｂに凸湾曲面を設ける一方、押圧板１０３の対向面に凹湾曲面を設けても、設けない場合に比較してこれらの面積が飛躍的に大きくなるということはなく、従って、期待した程の圧搾効率の向上を得ることができないのが実情であった。
【０００８】
本発明は、上記のような状況に鑑みてなされたものであり、圧搾効率を格段に向上させることが可能なハンドジューサーを提供することを目的としている。
【０００９】
【課題を解決するための手段】
請求項１記載の発明は、底板に複数の透孔が穿孔された内容器と、この内容器を収容するとともに外周面にブラケットが突設された外容器と、この外容器の外周面における上記ブラケットの突設方向と反対方向に向けて突設された固定把手と、上記内容器内に挿脱自在に嵌挿される押圧板と、この押圧板が取り付けられるとともに一方の端部が上記外容器のブラケットに連結軸回りに回動可能に連結された作動把手とを備えてなり、上記内容器内に被搾物を装填した状態で上記押圧板により被搾物を押圧することによって被搾物から液を搾り出すように構成されたハンドジューサーであって、上記底板には凹凸が形成されている一方、上記押圧板には、底板の凹凸に対応し、かつ、凹部に嵌り込むように凸部が設けられた凹凸が形成され、上記外容器の上縁部には外方に向かって膨出した注ぎ口が設けられ、上記内容器には外容器に収容された状態で上記注ぎ口を閉止する口蓋が設けられていることを特徴とするものである。
【００１０】
この発明によれば、内容器内に装填された被搾物を押圧板で押圧することにより、被搾物は押し潰されて圧搾され、圧搾液が搾り出される。この圧搾液は、内容器の底板に穿孔された透孔から内容器内に導出されるため、これを受けることにより被搾物からの圧搾液が回収される。
【００１１】
そして、内容器の底板には凹凸が形成されている一方、押圧板には、底板の凹凸に対応し、かつ、凹部に嵌り込むように凸部が形成された凹凸が形成されているため、被搾物が、押圧板および底板の凹凸が互いに噛み合うような状態で押圧され、これによってその凹凸の噛み合いで圧潰、圧搾作用が強められ、被搾物が容易に破断して圧搾液が出易くなる。
【００１２】
また、平面または緩やかな曲面間に挟持されて被搾物が押圧される従来のものに比較し、対向面に凹凸を有する押圧板および底板を用いることにより被搾物に対する押圧面積が大きくなるため、その分被搾物は効率的に圧搾される。
【００１３】
また、この発明において、上記容器を収容する外容器と、上記押圧板が取り付けられる作動把手とが備えられ、上記外容器は、内容器が収容されるとともに、外周面には固定把手と、この固定把手と反対方向に突設されたブラケットとを有し、上記作動把手は、一方の端部が連結軸回りに回動可能に上記ブラケットに連結されている。
【００１４】
したがって、被搾物の装填された内容器を外容器に嵌挿した状態で作動把手を操作して押圧板を容器内に導入し、片手または両手で固定把手と作動把手とを握り締めることにより、作動把手に取り付けられている押圧板が容器内の被搾物を押圧するため、この押圧による圧搾で被搾物から圧搾液が搾り出される。そして、圧搾液は、容器の底板に穿設された透孔から流出して外容器に受けられる。
【００１５】
請求項２記載の発明は、請求項１記載の発明において、上記底板および押圧板の凹凸は、断面視で鋸刃状に形成されていることを特徴とするものである。
【００１６】
この発明によれば、底板および押圧板の鋸刃状の刃先が被搾物を切断するため、被搾物はより効率的に圧搾される。
【００１７】
【発明の実施の形態】
図１は、本発明に係るハンドジューサーの一実施形態を示す分解斜視図であり、図２は、その組立て斜視図である。また、図３は、図２に示すハンドジューサーの側面視の断面図である。これらの図に示すように、ハンドジューサー１は、円筒状で有底の外容器２と、この外容器２に嵌挿される円筒状で有底の内容器３と、内容器３内に装填された果物や野菜等の被搾物Ｆを圧搾する圧搾部材４とからなる基本構成を有している。
【００１８】
これら外容器２、内容器３および圧搾部材４は、いずれもアルミニウムあるいはアルミニウム合金のダイカストで形成することが剛性および製作性等の点で好ましいが、その他ステンレススチールや銅や真鍮等の金属材料によって形成してもよい。また、金属製であることに限定されるものではなく、合成樹脂で全体的に形成してもよいし、部分的に合成樹脂を適用してもよい。
【００１９】
上記外容器２は、筒状の外容器本体２１と、この外容器本体２１の外周面から径方向に突設された固定把手２２と、外容器本体２１の外周面であって、固定把手２２が設けられている面と反対側の外周面に突設された上下方向に延びる周方向一対のブラケット２３とからなっている。外容器本体２１の上縁部の適所には、外方に向かって膨出した注ぎ口２１ａが設けられている。
【００２０】
上記固定把手２２は、外容器本体２１の外周面における上下方向の略中間位置から径方向の外方に向かって突設されている。かかる固定把手２２の先端部は、下方に向かって折り曲げられた状態とされ、その下端部に底面が平らな接地部２２ａが形成されている。この接地部２２ａの底面と外容器本体２１の底面とは同一平面上に位置するようにレベル設定され、これによって外容器本体２１を例えばテーブル上に載置した状態で外容器本体２１および接地部２２ａの各底面がいずれもテーブル面に当接し、これによって外容器２の載置状態が安定するようになっている。
【００２１】
上記一対のブラケット２３は、外容器本体２１の上部の外周面から一旦径方向に突出した上でさらに上方に向けて延設されており、これらの延設部分間に圧搾部材４の端部が支持軸２３ａ回りに回動自在に軸支されている。
【００２２】
上記内容器３は、有底で円筒状の内容器本体３１と、この内容器本体３１の上縁部の全周から径方向に突設されて形成した環状突出縁部３２と、この環状突出縁部３２に上記注ぎ口２１ａに対応するように径方向の外方にむけて突設された口蓋３３と、この口蓋３３に対向した状態で内容器本体３１の反対側の縁部から外方に向かって斜め上方に突設された摘み突起３４とからなっている。内容器本体３１は、外径寸法が外容器本体２１の内径寸法より僅かに小さく寸法設定されているとともに、上下寸法は外容器本体２１の上下寸法の略２／３に寸法設定されている。
【００２３】
従って、内容器３は、摺接状態で外容器２内に嵌挿し得るとともに、摘み突起３４を指で摘まんで内容器本体３１を外容器本体２１内に嵌め込んだ状態では、図２および図３に示すように、環状突出縁部３２が外容器本体２１の上面周縁部に当止し、これによって内容器本体３１の外容器本体２１内へのそれ以上の没入が阻止されるとともに、口蓋３３が注ぎ口２１ａを閉止するようになっている。
【００２４】
そして、このような内容器３は、底板３５の上面側に断面形状が鋸刃状に形成された鋸刃状底面３５ａを有している。この鋸刃状底面３５ａは、断面形状が二等辺三角形の形状を呈して一方の内周面から他方の内周面に向かってそれぞれ平行に延ばされた複数の突条３５ｂと、隣接する突条（凸部）３５ｂ間に形成されたＶ字溝（凹部）３５ｃとによって形成されている。Ｖ字溝３５ｃの溝底には、ジュースを通過させるための透孔３６が穿設されており、圧搾されて搾り出されたジュースはこの透孔３６を通って外容器本体２１内に貯留されるようになっている。
【００２５】
上記圧搾部材４は、外容器２のブラケット２３に取り付けられる作動把手４１と、この作動把手４１に取り付けられた連結杆４２と、この連結杆４２の先端部に固着された押圧板４３とからなっている。
【００２６】
上記作動把手４１は、長尺の金属板の両側部を互いに接近する方向にそれぞれ直角にプレス処理することによって形成されている。かかる作動把手４１は、一端部に上記一対のブラケット２３間に嵌り込む結合部４１ａを有しており、この結合部４１ａがブラケット２３間に嵌め込まれた状態で、一対のブラケット２３および結合部４１ａに支持軸２３ａが差し通されることによって、圧搾部材４が支持軸２３ａ回りに回動自在に外容器２に結合されている。
【００２７】
上記連結杆４２は、作動把手４１の折り曲げられて形成した対向壁間に嵌め込まれた状態で、リベット４１ｂによってかしめ止めされている。かかる連結杆４２は、作動把手４１を支持軸２３ａ回りに時計方向に回動させた状態で、押圧板４３が外容器本体２１内に嵌まり込み得る位置に取り付けられている。
【００２８】
上記押圧板４３は、径寸法が外容器本体２１の内径寸法より若干小さい円盤状に形成され、外容器本体２１の底面に対向した面には、内容器本体３１の鋸刃状底面３５ａに対応した鋸刃状底面４３ａが設けられている。この鋸刃状底面４３ａは、内容器本体３１の鋸刃状底面３５ａに嵌り込み得るように断面が二等辺三角形状に形成され、一方の縁部から他方の縁部に向かってそれぞれ平行に延びる複数の突条（凸部）４３ｂと、隣接する突条４３ｂ間に形成されたＶ字溝（凹部）４３ｃとによって形成されている。
【００２９】
従って、図３に二点鎖線で示す作動把手４１を支持軸２３ａ回りに時計方向に回動させて押圧板４３を内容器本体３１内に嵌め込むことにより、図３に実線で示すように、押圧板４３の鋸刃状底面４３ａの突条４３ｂが、内容器本体３１の鋸刃状底面３５ａのＶ字溝３５ｃに嵌まり込み、これによって底板３５と押圧板４３との間の互いに密着し得る対向面の面積が、全体的に平面あるいは緩やかな曲面である場合に比較して格段に増加した状態になっている。
【００３０】
本実施形態のハンドジューサー１は、以上詳述したように、被搾物Ｆを装填する内容器本体３１の底板３５に鋸刃状底面３５ａを形成する一方、被搾物Ｆを圧搾するための押圧板４３に、上記底板３５の鋸刃状底面３５ａに対向した鋸刃状底面４３ａを設けたため、内容器本体３１内に被搾物Ｆを装填した状態で、図３に二点鎖線で示す作動把手４１を支持軸２３ａ回りに回動操作することにより、押圧板４３が内容器本体３１内に嵌まり込んだ状態になるとともに、図３に実線で示すように、押圧板４３の突条４３ｂが被搾物Ｆを介して底板３５のＶ字溝３５ｃに対向し、かつ、押圧板４３のＶ字溝４３ｃが底板３５の突条３５ｂに対向した状態になる。
【００３１】
この状態で、作動把手４１および固定把手２２を片手あるいは両手で把持して両把手４１，２２が互いに接近する方向に力を加えることにより、被搾物Ｆは突条３５ｂ，４３ｂによって切り裂かれて容易に破壊され、ついで底板３５および押圧板４３間において圧搾されることにより圧搾液が搾り出される。圧搾液は、透孔３６を通って下方に垂下し、外容器２の底部に貯留される。
【００３２】
そして、底板３５および押圧板４３の対向面は、いずれも鋸刃状底面３５ａ，４３ａになっているため、従来の対向面が平面状のものや緩やかな曲面状のものに比較し、底板３５および押圧板４３の対向面積が格段に大きくなっており、従って、圧搾効率が対向面積の増加分だけ高められ、これによって従来のものより効率よく圧搾液を搾り出すことが可能になる。
【００３３】
本発明は上記の実施形態に限定されるものではなく、以下の内容をも包含するものである。
【００３４】
（１）上記の実施形態においては、押圧板４３は、作動把手４１の支持軸２３ａ回りの回動操作で内容器本体３１内で被搾物Ｆを圧搾するようにしているが、こうする代わりに外容器本体２１の上部に支持部材を架設するとともに、この支持部材の中央部に上下方向に延びるねじ孔を螺設し、このねじ孔に、下端部に押圧板４３を相対回転自在に取り付けたねじ軸を螺着し、このねじ軸の頂部に設けたハンドルを回転操作することにより、押圧板４３を下降させて内容器本体３１の底板３５と押圧板４３とに挟持された被搾物Ｆを圧搾するようにしてもよい。
【００３５】
（２）上記の実施形態においては、ハンドジューサー１を外容器２と、この外容器２に嵌挿される内容器３とを備えて構成し、被搾物Ｆを内容器３内に装填して押圧板４３で圧搾するようにしているが、本発明は、ハンドジューサー１を外容器２と内容器３とから構成することに限定されるものではなく、内容器３のみで本発明の容器を構成してもよい。この場合は、圧搾部材４を内容器３に直接取り付けるようにすればよいし、被搾物Ｆから得られる圧搾液を別の容器で受けるようにすればよい。
【００３６】
（３）上記の実施形態においては、内容器３の底板３５および押圧板４３の対向面には、いずれも鋸刃状底面３５ａ，４３ａが形成されているが、これらの対向面に形成される凹部と凸部とは鋸刃状であることに限定されるものではなく、各種の凹凸を採用することができる。例えば、図４の（イ）に示すように、押圧板４３および底板３５の対向面に互いに嵌り合うように対向したｓｉｎカーブのような波形の凹凸（波状底面４３ｄ，３５ｄ）を形成してもよいし、図４の（ロ）に示すように、片仮名の「コ」の字を、９０°変位させた形状が所定間隔で連設された、いわゆるパルス状の凹凸（パルス状底面４３ｅ，３５ｅ）を互いに嵌り合うように対向させて形成してもよい。
【００３７】
【発明の効果】
請求項１記載の発明によれば、内容器内に装填された被搾物を押圧板で押圧することにより、被搾物は押し潰されて圧搾され、これによって被搾物から圧搾液を搾り出すことができる。この圧搾液は、内容器の底板に穿孔された透孔から内容器内に導出されるため、これを受けることにより被搾物からの圧搾液を回収することができる。
【００３８】
そして、内容器の底板には凹凸が形成されている一方、押圧板には、底板の凹凸に対応し、かつ、凹部に嵌り込むように凸部が形成された凹凸が形成されているため、被搾物は、押圧板および底板の凹凸が互いに噛み合うような状態で押圧され、このときに生じる剪断力等によって被搾物を容易に破断することが可能になり、これによって被搾物から圧搾液を出易くすることができる。
【００３９】
また、平面または緩やかな曲面間に挟持されて被搾物が押圧される従来のものに比較し、対向面に凹凸を有する押圧板および底板を用いることにより被搾物に対する押圧面積が大きくなるため、その分被搾物を効率的に圧搾することができる。
【００４０】
また、被搾物の装填された内容器を外容器に嵌挿した状態で作動把手を操作して押圧板を容器内に導入し、片手または両手で固定把手と作動把手とを握り締めることにより、作動把手に取り付けられている押圧板が容器内の被搾物を押圧するため、この押圧による圧搾で被搾物から圧搾液を容易に搾り出させることができる。そして、圧搾液は、容器の底板に穿設された透孔から流出して外容器に受けられるため非常に便利である。
【００４１】
請求項２記載の発明によれば、底板および押圧板の凹凸を、断面視で鋸刃状に形成したため、被搾物は、底板および押圧板の鋸刃状の刃先によって容易に切断され、切断面から液が流れ出すことによって被搾物をより効率的に圧搾することができる。
【図面の簡単な説明】
【図１】  本発明に係るハンドジューサーの一実施形態を示す分解斜視図である。
【図２】  図１に示すハンドジューサーの組立て斜視図である。
【図３】  図２に示すハンドジューサーの側面視の断面図である。
【図４】  （イ）および（ロ）は、内容器の底板および押圧板に形成される凹凸の他の実施形態を示す断面図である。
【図５】  従来のハンドジューサーを示す断面図である。
【符号の説明】
１  ハンドジューサー
２  外容器
２１  外容器本体
２１ａ  注ぎ口
２２  固定把手
２２ａ  接地部
２３  ブラケット
２３ａ  支持軸
３  内容器
３１  内容器本体
３２  環状突出縁部
３３  口蓋
３４  摘み突起
３５  底板
３５ａ  鋸刃状底面
３５ｂ  突条
３５ｃ  Ｖ字溝
４  圧搾部材
４１  作動把手
４１ａ  結合部
４１ｂ  リベット
４２  連結杆
４３  押圧板
４３ａ  鋸刃状底面
４３ｂ突条
４３ｃ  Ｖ字溝
【図１】
0004473399.tif 000002
【図２】
0004473399.tif 000003
【図３】
0004473399.tif 000004
【図４】
0004473399.tif 000005
【図５】
0004473399.tif 000006